(57)【要約】      （修正有）【課題】ターボチャージャーのタービンに含まれる複数のベーンを開放位置または閉鎖位置に均一に作動させる。【解決手段】複数のベーン７を含み、前記ベーン７の各々が、下部リング６及び上部リング５をベーン７に機械的に結合するベーンポスト８を含み、ベーンポスト８に形成された溝にアクチュエータリングに形成されたスプラインとを結合させて、ベーンアクチュエータ９８で移動させることで、前記複数のベーン７を均一に作動させる。【選択図】図１
2018031372.tif 000002
【特許請求の範囲】
【請求項１】
下部リング、上部リング、複数のベーンを含み、ここで前記ベーンの各々が、下部リング及び上部リングをベーンに機械的に結合するベーンポストを含むものであるタービン、及び前記アクチュエータリングの移動に基づいて前記ベーンを均一に作動するように構成されて配置されたアクチュエータリングを含むベーンアクチュエータを含む、製品。
【請求項２】
前記アクチュエータリングが、複数のスプラインを含む、請求項１に記載の製品。
【請求項３】
前記ベーンポストの各々が、前記アクチュエータリングの少なくとも一つのスプラインと機械的に結合する溝を含む、請求項２に記載の製品。
【請求項４】
前記アクチュエータリングが、複数の溝を含む、請求項１に記載の製品。
【請求項５】
前記ベーンポストの各々が、前記アクチュエータリングの少なくとも一つの溝と機械的に連結されるスプラインを含む、請求項４に記載の製品。
【請求項６】
前記スプラインのうちの少なくとも一つが、ドックボーン（ｄｏｇｂｏｎｅ）形状を有する、請求項２に記載の製品。
【請求項７】
前記下部リングまたは前記上部リングのうちの少なくとも一つが、前記ベーンポストを介して前記ベーンに機械的に結合するボアを含む、請求項１に記載の製品。
【請求項８】
前記ベーンポストが、前記アクチュエータリングの少なくとも一つのスプラインと機械的に結合するボアを含む、請求項２に記載の製品。
【請求項９】
前記製品が、ターボチャージャーを含む、請求項１に記載の製品。
【請求項１０】
前記タービンが、可変タービン幾何構造を有する、請求項９に記載の製品。
【請求項１１】
下部リング、上部リング、複数のベーンを含み、ここで前記ベーンの各々が、下部リング及び上部リングをベーンに機械的に結合するベーンポストを含むものであるタービン、及び前記アクチュエータリングの移動に基づいて前記ベーンを均一に作動するように構成されて配置されたアクチュエータリングを含むベーンアクチュエータを提供するステップ及び、
前記アクチュエータリングの移動を介して前記ベーンを開放位置または閉鎖位置に均一に作動させるステップを含む、方法。
【請求項１２】
前記アクチュエータリングが、複数のスプラインを含む、請求項１１に記載の方法。
【請求項１３】
前記ベーンポストの各々が、前記アクチュエータリングの少なくとも一つのスプラインと機械的に結合する溝を含む、請求項１２に記載の方法。
【請求項１４】
前記アクチュエータリングが、複数の溝を含む、請求項１１に記載の方法。
【請求項１５】
前記ベーンポストの各々が、前記アクチュエータリングの少なくとも一つの溝と機械的に結合するスプラインを含む、請求項１４に記載の方法。
【請求項１６】
前記スプラインのうちの少なくとも一つが、ドックボーン（ｄｏｇｂｏｎｅ）形状を有する、請求項１２に記載の方法。
【請求項１７】
前記下部リングまたは前記上部リングのうちの少なくとも一つが、前記ベーンポストを介して前記ベーンに機械的に結合するボアを含む、請求項１１に記載の方法。
【請求項１８】
前記ベーンポストが、アクチュエータリングの少なくとも一つのスプラインと機械的に結合するボアを含む、請求項１２に記載の方法。
【請求項１９】
前記製品が、ターボチャージャーを含む、請求項１１に記載の方法。
【請求項２０】
前記タービンが、可変タービン幾何構造を有する、請求項１９に記載の方法。
【発明の詳細な説明】
【技術分野】
【０００１】
本開示が一般的に関連する分野は、ベーンアクチュエータを含む。
【背景技術】
【０００２】
多数の変形例において、ターボチャージャーは、複数のベーンを含むタービンを含むことができる。
【発明の概要】
【発明が解決しようとする課題】
【０００３】
多数の変形例は、下部リング、上部リング、複数のベーンを含み、ここで前記ベーンの各々が下部リング及び上部リングを前記ベーンに機械的に結合するベーンポストを含むものであるタービン、及び前記アクチュエータリングの移動に基づいて前記ベーンを均一に作動するように構成されて配置されたアクチュエータリングを含むベーンアクチュエータを含む製品を含むことができる。
【課題を解決するための手段】
【０００４】
多数の変形例は、下部リング、上部リング、複数のベーンを含み、ここで前記ベーンの各々が下部リング及び上部リングを前記ベーンに機械的に結合するベーンポストを含むものであるタービン、及び前記アクチュエータリングの移動に基づいて前記ベーンを均一に作動するように構成されて配置されたアクチュエータリングを含むベーンアクチュエータを提供するステップ、及び前記アクチュエータリングの移動を通して前記ベーンを開放位置または閉鎖位置に均一に作動させるステップを含む方法を含むことができる。
【０００５】
本発明の範囲内の他の例示的な変形例は、以下に提供される詳細な説明から明らかになるだろう。詳細な説明及び特定の実施例は、本発明の範囲内の変形例を開示しているが、単に説明のために意図されたものであり、本発明の範囲を限定しようとするものではないことを理解すべきである。
【図面の簡単な説明】
【０００６】
本発明の範囲内において変形例に対する選択例は、詳細な説明及び添付された図面からより完全に理解されるだろう。
【図１】多数の変形例による製品の断面斜視図を示す。
【図２Ａ】多数の変形例による製品の断面斜視図を示す。
【図２Ｂ】多数の変形例による製品の断面斜視図を示す。
【図２Ｃ】多数の変形例による製品の半径方向斜視断面図を示す。
【図２Ｄ】多数の変形例による製品の断面斜視図を示す。
【図３Ａ】多数の変形例による製品の軸方向断面図を示す。
【図３Ｂ】多数の変形例による製品の断面斜視図を示す。
【図３Ｃ】多数の変形例による製品の断面斜視図を示す。
【図４Ａ】多数の変形例による製品の断面斜視図を示す。
【図４Ｂ】多数の変形例による製品の軸方向断面図を示す。
【図４Ｃ】多数の変形例による製品の軸方向断面図を示す。
【図４Ｄ】多数の変形例による製品の半径方向断面図を示す。
【図４Ｅ】多数の変形例による製品の断面斜視図を示す。
【図４Ｆ】多数の変形例による製品の断面斜視図を示す。
【発明を実施するための形態】
【０００７】
変形例に対する以下の説明は、本質的に単なる例示的なものであり、本発明、その応用または用途の範囲を決して限定するものではない。
【０００８】
図１を参照すると、多数の変形例において、製品１０が示される。多数の変形例において、製品１０は、ターボ機械装置１０を含むことができる。多数の変形例において、ターボ機械装置は、ローター及び流体を含む高速機械を含み、エネルギーを流体からローターに、またはその逆に伝達する装置であり得る。多数の変形例において、ターボ機械装置１０は、ターボチャージャー、帯電ターボチャージャー、圧縮機、タービン、膨張装置、有機ランキンサイクル（ＯＲＣ）装置、ターボ機械に使用されるモーター、ブースター、帯電ブースター（ｅｌｅｃｔｒｉｃｉｚｅｄ  ｂｏｏｓｔｅｒ）、電化ターボ複合構成要素（ｅｌｅｃｔｒｉｃｉｚｅｄ  ｔｕｒｂｏ  ｃｏｍｐｏｕｎｄ  ｃｏｍｐｏｎｅｎｔ）のうちの少なくとも一つを含むことができるか、または他の装置であり得る。図１に示したように、多数の非限定的な変形例において、製品１０は、ターボチャージャー１を含むことができる。多数の変形例において、製品１０またはターボチャージャー１は、タービン６８及び／または少なくとも一つの圧縮機７０のうちの少なくとも一つを含むことができ、その変形例は、図１に示されている。多数の変形例において、製品１０またはターボチャージャー１またはタービン６８は、タービンホイールまたはローター４を含むことができる。多数の変形例において、ターボチャージャー４またはタービン６８は、可変タービン幾何構造（ＶＴＧ）を有することができる。多数の変形例において、製品１０またはターボチャージャー１または圧縮機７０は、圧縮機ホイールまたはローター１７を含むことができる。多数の変形例において、タービンホイールまたはローター４は、シャフト３６を介して圧縮機ホイールまたはローター１７に作動可能に連結され得る。多数の変形例において、タービンホイール４は、システムからの排気ガスから熱力学動力を受け入れることができ、シャフト３６を駆動して圧縮機ホイール１７を駆動することができる。多数の変形例において、シャフト３６は、少なくとも一つのベアリング３８、４０によって回転のために支持され得る。多数の変形例において、製品１０またはターボチャージャー１は、第１ベアリング３８及び第２ベアリング４０を含むことができる。多数の変形例において、製品１０またはターボチャージャー１は、タービンハウジング２及び圧縮機ハウジング３を含むことができ、これらは、ベアリングハウジング１９を介してターボチャージャーに連結され得る。多数の変形例において、製品１０は、ベアリング潤滑システム７２を含むことができる。多数の変形例において、流体７４は、シャフト３６の適切な回転を保障するために、ベアリング潤滑システム７２を介して第１及び第２ベアリング３８、４０に供給され得る。多数の変形例において、流体７４は、オイル、冷却剤を含むことができるか、他のタイプであり得る。
【０００９】
さらに図１を参照すると、多数の変形例において、ハウジング２、３、１９は、回転軸Ｒに沿って配置され得る。図１に示した非限定的な例において、タービンハウジング２は、半径方向外側のベーンカスケード１８の一部として、下部リング６の配置を示すために部分的に断面で示し、ベーンカスケード１８は、ピボットまたはベーンポスト８と共に複数のベーン７を有することができ、円周上に分布し得る。多数の変形例において、ベーン７は、ベーン７を“開放”または“閉鎖”位置に作動させることができる個々のベーンポスト８を含むことができる。図２Ｄに示したように、多数の変形例において、ベーンポスト８は、第１端部８Ａ及び第２端部８Ｂを有することができる。その結果、多数の変形例において、ノズル断面が形成されることができ、これは、ベーン７の位置に応じて、より大きいかより小さいことができ、タービンローター４を露出させることができ、タービンローター４は、回転軸Ｒの中央にエンジンの排気ガスの作用に応じて、程度の差はあるが、取り付けられ得る。多数の変形例において、“開放”位置は、ベーン７の作動によって生成された開口部を介してガスをベーンカスケード１８に通過させるものとして定義され得る。多数の変形例において、“閉鎖”位置は、ベーン７の作動によって生成された開口部を介してガスをベーンカスケード１８に通過させないものとして定義され得る。多数の変形例において、エンジンの排気ガスは、供給通路９を介して提供されることができ、圧縮機ローター１７を駆動するために、中央ダクト１０を介して排出されることができ、圧縮機ローター１７は、タービンローター４を介して同一軸３６に着座し得る。
【００１０】
多数の変形例において、ベーン７の移動または位置を制御するために、製品１０またはターボチャージャー１は、ベーンアクチュエータ９８を含むことができる作動装置１１を含むことができる。多数の変形例において、作動装置１１は、製品１０内の状態または製品１０の周囲または用途に基づいて、ベーン７の移動または位置を作動させることができるＥＣＵ１５０を含むことができる。多数の変形例において、作動装置１１は、ベーン上部リング５上にその移動を変換させるために、固定され得るラム構成要素１４の移動を制御することができる制御ハウジング１２を含むことができ、ベーン上部リング５は、ベーン下部リング６の後方に配置され得る。多数の変形例において、ベーンカスケード１８またはベーン７は、上部リング５と下部リング６との間に配置され得る。多数の変形例において、ベーンカスケード１８または少なくとも一つのベーン７は、上部リング５または下部リング６のうちの少なくとも一つに機械的に結合され得る。多数の変形例において、ベーンカスケード１８または少なくとも一つのベーン７は、上部リング５及び下部リング６に機械的に結合され得る。多数の変形例において、ベーンカスケード１８または少なくとも一つのベーン７は、ベーンポスト８を介して上部リング５または下部リング６のうちの少なくとも一つに機械的に結合され得る。多数の変形例において、ベーンカスケード１８または少なくとも一つのベーン７は、ベーンポスト８を介して上部リング５及び下部リング６に機械的に結合され得る。多数の変形例において、ベーンカスケード１８または少なくとも一つのベーン７は、ベーンポスト８を介して上部リング５及び下部リング６に機械的に結合されることができ、ここでベーンポスト第１端部８Ａは、上部リング５を機械的に結合し、ベーンポスト第２端部８Ｂは、下部リング６を機械的に結合する。多数の変形例において、ベーンアクチュエータ９８は、アクチュエータリング１００を含むことができる。多数の変形例において、ベーンアクチュエータ９８は、アクチュエータリング１００を移動または回転させることができる。多数の変形例において、ベーンアクチュエータ９８は、複数のアクチュエータリング１００を含むことができる。多数の変形例において、ベーンアクチュエータ９８は、ベーンカスケード１８及び複数のベーン７を含むことができる。多数の変形例において、アクチュエータリング１００は、ベーンカスケード１８と上部リング５との間にあり得る。多数の変形例において、アクチュエータリング１００は、ベーンカスケード１８と下部リング６との間にあり得る。多数の変形例において、アクチュエータリング１００は、上部リング５の外側にあり得る。多数の変形例において、アクチュエータリング１００は、下部リング６の外側にあり得る。多数の変形例において、ベーンカスケード１８または少なくとも一つのベーン７は、第１端部８Ａ、第２端部８Ｂ上にまたは他の地点でベーンポスト８を介してアクチュエータリング１００に機械的に結合され得る。多数の変形例において、制御ハウジング１２は、その移動をアクチュエータリング１００に変換し、その後、アクチュエータリング１００の自由移動に基づいて、“開放”位置または“閉鎖”位置にベーンカスケード１９または少なくとも一つのベーン７に変換するために、固定され得るラム構成要素１２の移動を制御することができる。多数の変形例においては、ベーンベアリングリング６とタービンハウジング２の環状セクション２５との間に、ベーン７のための自由空間１３が形成され得る。このような自由空間１３を保護することができるように、下部リング６は、一つの片で形成され得るスペーサ１６を有することができる。非限定的な例において、３つのスペーサ２６が、各々の場合に１２０゜の角度間隔でベーンベアリングリング６の円周上に配置することができる。しかし、原則的に、スペーサ２６をより多いとか少ない数で提供することが可能であり得る。
【００１１】
図２Ａ〜図２Ｄに示したように、多数の変形例において、ベーンは、下部リング６と上部リング５との間にあり得る。図２Ａに示したように、多数の変形例において、アクチュエータリング１００は、少なくとも一つのベーン７と上部リング５との間にあり得る。図２Ｄに示したように、多数の変形例において、ベーンポスト８は、第１端部８Ａ及び第２端部８Ｂを有することができる。図２Ａ及び図２Ｃに示したように、多数の変形例において、ベーンポスト第１端部８Ａは、上部リング５に機械的に結合されることができ、下部ポスト８Ｂは、下部リング６に機械的に結合され得る。図２Ａ、図３Ａ、図４Ａ、図４Ｄ及び図４Ｆに示したように、上部リング５は、上部リングボア１５を含むことができる。図２Ａ、図３Ａ、図４Ａ、図４Ｄ及び図４Ｆに示したように、ベーンポスト８の第１端部８Ａは、上部リング５の上部リングボア１５に嵌合して機械的に結合することができる。図２Ａ、図２Ｂ、図２Ｃ、図３Ｂ、図３Ｃ及び図４Ｄに示したように、下部リング６は、下部リングボア１６を含むことができる。図２Ａ、図２Ｂ、図３Ｂ、図３Ｃ及び図４Ｄに示したように、ベーンポスト８の第２端部８Ｂは、下部リング６の下部リングボア１６に嵌合して機械的に結合することができる。図２Ａ〜図２Ｄに示したように、ベーンポスト８は、少なくとも一つの溝１０４を含むことができる。多数の変形例において、ベーンポスト８は、第１端部８Ａの長手方向側面に沿って溝１０４を含むことができる。多数の変形例において、ベーンポスト８は、第２端部８Ｂの長手方向側面に沿って溝１０４を含むことができる。多数の変形例において、アクチュエータリング１００は、少なくとも一つのスプライン１０２を含むことができる。図２に示したように、多数の変形例において、図２Ａ、図２Ｂ、図４Ｂ及び図４Ｃに示したように、アクチュエータリング８は、アクチュエータリング８の半径方向エッジ１０３に沿って少なくとも一つのスプライン１０２を含むことができる。図２Ａ及び図２Ｂに示したように、多数の変形例において、アクチュエータリング１００のスプライン１０２は、ベーンポスト８の溝１０４に機械的に結合することができる。多数の変形例において、これは、アクチュエータリング１００をベーン７に機械的に結合することができる。多数の変形例において、アクチュエータリング１００の移動または回転は、少なくとも一つのスプライン１０２を移動または回転させることができ、前記スプライン１０２は、ベーンポスト８の溝１０４を移動または回転させることができ、これは、ベーン７を“開放”位置から“閉鎖”位置に、またはその逆に移動または回転させることができる。多数の変形例において、アクチュエータリング１００は、個々のベーンポスト８上の複数の溝１０４に機械的に結合された複数のスプライン１２を含むことができ、従って、前記アクチュエータリング１００は、複数のベーン７に機械的に結合され得る。多数の変形例において、ベーンポスト８内の溝１０４の各々は、アクチュエータリング１００の少なくとも一つのスプライン１０２に機械的に結合され得る。多数の変形例において、アクチュエータリング１００は、アクチュエータリング１００の移動に基づいて複数のベーンを均一に作動させるように構成及び配置され得る。多数の変形例において、ベーン７を作動させるアクチュエータリング１００の移動は、一の方向がベーンを“開放”し、他の方向がベーンを“閉鎖”させる時計回りまたは反時計回りの回転であり得る。図４Ｂ〜図４Ｃに示したように、多数の変形例において、スプライン１０２は、ドックボーン（ｄｏｇｂｏｎｅ）形状であり得る。多数の変形例において、溝１０４は、ドックボーン形状を受け入れるために、より広い長さＬＧを有することができる。多数の変形例において、ドックボーン形状は、作動中にベーン７とアクチュエータリング１００との間の摩擦及び応力を減少させることができる。
【００１２】
図４Ａ、図４Ｄ、図４Ｅ及び図４Ｆに示したように、多数の変形例において、ベーン７は、ベーンポスト８とベーン７との間に緩衝領域１２０を含むことができる。図４Ａ、図４Ｄ及び図４Ｆに示したように、多数の変形例において、緩衝領域１２０は、上部リングボア１５に受け入れられるときに、ベーンポスト第１端部８Ａまで上部リング５の軸方向表面に接することができる。図４Ａに示したように、多数の変形例において、緩衝領域１２０Ａは、上部リングボア１５内に少なくとも部分的に受け入れられることができる。図４Ｄに示したように、多数の変形例において、緩衝領域１２０Ａは、下部リングボア１６に受け入れられるときに、ベーンポスト第２端部８Ｂまで下部リング６の軸方向表面に接することができる。図４Ｄに示したように、多数の変形例において、緩衝領域１２０Ｂは、下部リングボア１６内に少なくとも部分的に受け入れられることができる。図４Ｄに示したように、多数の変形例において、ベーン７は、少なくとも部分的に上部リングボア１５及び下部リングボア１６内にそれぞれ受け入れられることができる二重緩衝領域１２０Ａ、１２０Ｂを有することができる。図４Ａ、図４Ｄ及び図４Ｅに示したように、多数の変形例において、ベーンポスト第１端部８Ａは、上部リングボア１５を通って突出することができる。図４Ｅに示したように、多数の変形例において、ベーンポスト第１端部８Ａは、ベーンポストボア１４０を含むことができる。多数の変形例において、アクチュエータリング１００は、アクチュエータリング１００の軸方向表面１０１から外側に突出する少なくとも一つの軸方向の面スプライン（図示せず）を含むことができる。多数の変形例において、アクチュエータリング１００の軸方向の面スプラインは、ベーンポスト８のベーンポストボア１４０に機械的に結合され得る。多数の変形例において、これは、アクチュエータリング１００をベーン７に機械的に結合することができる。多数の変形例において、アクチュエータリング１００の移動または回転は、少なくとも一つの軸方向の面スプラインを移動または回転させることができ、前記軸方向の面スプラインは、ベーンポスト８のベーンポストボア１４０を移動または回転させることができ、これは、ベーン７を“開放”位置から“閉鎖”位置に、またはその逆に移動または回転させることができる。多数の変形例において、アクチュエータリング１００は、個々のベーンポスト８上の複数のベーンポストボア１４０に機械的に結合された複数の軸方向の面スプラインを含むことができ、従って、アクチュエータリング１００が複数のベーン７に機械的に結合され得る。多数の変形例において、前記軸方向の面スプラインは、キーを含むことができる。多数の変形例において、ベーンポストボア１４０は、前記軸方向の面スプライン上のキーを受け入れるために、溝が形成された内部を含むことができる。多数の変形例において、軸方向の面スプラインは、溝を含むことができる。多数の変形例において、ベーンポストボア１４０は、軸方向の面スプライン上の溝を受け入れるための内部キーを含むことができる。多数の変形例において、ベーンポスト８内のベーンポストボア１４０の各々は、アクチュエータリング１００の少なくとも一つの半径方向の面スプラインに機械的に結合され得る。多数の変形例において、アクチュエータリング１００は、アクチュエータリング１００の移動に基づいて複数のベーンを均一に作動させるように構成及び配置され得る。多数の変形例において、ベーン７を作動させるアクチュエータリング１００の移動は、一の方向がベーンを“開放”し、他の方向がベーンを“閉鎖”させる時計回りまたは反時計回りの回転であり得る。
【００１３】
図３Ａ〜図３Ｃに示したように、アクチュエータリング１００は、複数のアクチュエータスプライン１０２の間に形成され得る溝１１４を含むことができる。多数の変形例において、ベーンポスト８は、第１端部８Ａの長手方向側面に沿ってスプライン１１２を含むことができる。多数の変形例において、ベーンポスト８は、第２端部８Ｂの長手方向側面に沿ってスプライン１１２を含むことができる。多数の変形例において、ベーンポスト８は、アクチュエータリング１００に形成された溝１１４のうちの少なくとも一つに機械的に結合され得るスプライン１１２を含むことができる。多数の変形例において、これは、アクチュエータリング１００をベーン７に機械的に結合することができる。多数の変形例において、アクチュエータリング１００の移動または回転は、少なくとも一つの溝１１４を移動または回転させることができ、この溝１１４は、ベーンポスト８のスプライン１１２を移動または回転させることができ、これは、ベーン７を“開放”位置から“閉鎖”位置に、またはその逆に移動または回転させることができる。多数の変形例において、アクチュエータリング１００は、個々のベーンポスト８上の複数のスプライン１１２に機械的に結合された複数の溝１１４を含むことができ、従って、アクチュエータリング１００は、複数のベーン７に機械的に結合され得る。多数の変形例において、ベーンポスト８内のスプライン１１２の各々は、アクチュエータリング１００の少なくとも一つの溝１１４に機械的に結合され得る。多数の変形例において、アクチュエータリング１００は、アクチュエータリング１００の移動に基づいて複数のベーンを均一に作動させるように構成及び配置され得る。多数の変形例において、ベーン７を作動させるアクチュエータリング１００の移動は、回転であり得る。図３Ｃに示したように、多数の変形例において、ベーンポスト８の第１端部８Ａは、キー機構１３０を介してベーン７に固定するインサートであり得る。
【００１４】
また、アクチュエータリング１００とベーンポスト８との任意の機械的結合は、ナット、ボルト、ファスナー、バックル、ボタン、ケーブルタイ、クランプ、クリップ、クラッチ、フランジ、フロッグ、グロメット、ラッチ、ネイル、ペグ、ピン、面ファスナー、リベット、スクリューアンカー、スナップファスナー、ステープル、ステッチ、ストラップ、ねじファスナー、タイ、トグルボルト、ジッパー、ウェッジアンカーを含むベーンアクチュエータ９８を含む本発明の範囲を逸脱せずに行われることができるか、または他のタイプであり得るということが主旨される。多数の変形例において、その任意の構成要素（ベーンアクチュエータ９８、ベーン７、ベーンポスト８、アクチュエータリング１００、上部リング５、下部リング６を含むか、または他の構成要素であり得る）を含む製品１０は、アルミニウム、鋳鉄、成形プラスチック、炭素繊維、他のダイカスト金属または他の適切な材料を含むことができる。多数の変形例において、製品１０の構成成分（ベーンアクチュエータ９８、ベーン７、ベーンポスト８、アクチュエータリング１００、上部リング５、下部リング６を含むか、または他の構成要素であり得る）は、ステーキング、定位置にキャスティング、機械加工、組立、または他の適切な手段によって示される方向に固定され得る。
【００１５】
多数の変形例においては、方法８００が示される。多数の変形例において、方法８００は、ブロック８０２において、下部リング、上部リング、複数のベーンを含み、ここで前記ベーンの各々は、前記下部リング及び前記上部リングを前記ベーンに機械的に結合するベーンポストを含むものであるタービン、及び前記アクチュエータリングの移動に基づいて前記ベーンたちを均一に作動させるように構成されたアクチュエータリングを含むベーンアクチュエータを提供するステップを含むことができる。多数の変形例において、方法８００は、ブロック８０４において、アクチュエータリングの移動を通してベーンを開放位置または閉鎖位置に均一に作動させるステップをさらに含むことができる。
【００１６】
多数の変形例において、製品１０またはベーンアクチュエータ９８は、ベーンカスケード１８のベーン８すべてを均一に作動させることができるので、各ベーンに対する個々ベーンレバーに対する必要性を除去することができ、これは、製造、組立及び構成要素のコストを減少させることができるだけでなく、製品１０の複雑性またはベーンカスケード１８の作動を減少させることができる。多数の変形例において、製品１０またはベーンアクチュエータ９８は、高いまたは不均一な温度環境のような望ましくない条件でベーンスティッキング、ベーン非作動、または不均一ベーンカスケード１８作動を軽減または除去することができる。
【００１７】
変形例に対する以下の説明は、本発明の範囲内にあるものと見なされる構成要素、要素、動作、製品及び方法を単に例示するものに過ぎず、具体的に開示されたり、明示的に説明されたもので、その範囲を限定することを意図しない。本明細書に記述されたような構成要素、要素、動作、製品及び方法は、本願に明示的に記載されたものとは異なり、組合せ及び再構成されることができ、依然として本発明の範囲内にあるものと見なされる。
【００１８】
変形例１は、下部リング、上部リング、複数のベーンを含み、ここで前記ベーンの各々が、下部リング及び上部リングをベーンに機械的に結合させるベーンポストを含むものであるタービン、前記アクチュエータリングの移動に基づいて前記ベーンを均一に作動させるように構成されて配置されたアクチュエータリングを含むベーンアクチュエータを含む製品を含むことができる。
【００１９】
変形例２は、アクチュエータリングが、複数のスプラインを含む変形例１に記載された製品を含むことができる。
【００２０】
変形例３は、ベーンポストの各々が、アクチュエータリングの少なくとも一つのスプラインと機械的に結合する溝を含む変形例２に記載された製品を含むことができる。
【００２１】
変形例４は、アクチュエータリングが、複数の溝を含む変形例１〜３のいずれか一つに記載された製品を含むことができる。
【００２２】
変形例５は、ベーンポストの各々が、アクチュエータリングの少なくとも一つの溝と機械的に結合するスプラインを含む変形例４に記載された製品を含むことができる。
【００２３】
変形例６は、スプラインのうちの少なくとも一つが、ドックボーン形状を有する変形例２〜５のいずれか一つに記載された製品を含むことができる。
【００２４】
変形例７は、下部リングまたは上部リングのうちの少なくとも一つが、ベーンポストを介してベーンに機械的に結合するボアを含む変形例１〜６のいずれか一つに記載された製品を含むことができる。
【００２５】
変形例８は、ベーンポストが、アクチュエータリングの少なくとも一つのスプラインと機械的に結合するボアを含む変形例２〜７のいずれか一つに記載された製品を含むことができる。
【００２６】
変形例９は、製品が、ターボチャージャーを含む変形例１〜８のいずれか一つに記載された製品を含むことができる。
【００２７】
変形例１０は、タービンが、可変タービン幾何構造を有する変形例１〜９のいずれか一つに記載された製品を含むことができる。
【００２８】
変形例１１は、下部リング、上部リング、複数のベーンを含み、ここでベーンの各々が、下部リング及び上部リングをベーンに機械的に結合するベーンポストを含むものであるタービン、及び前記アクチュエータリングの移動に基づいて前記ベーンを均一に作動するように構成されて配置されたアクチュエータリングを含むベーンアクチュエータを提供するステップ及び、前記アクチュエータリングの移動を介して前記ベーンを開放位置または閉鎖位置に均一に作動させるステップを含む方法を含むことができる。
【００２９】
変形例１２は、アクチュエータリングが、複数のスプラインを含む変形例１１に記載された方法を含むことができる。
【００３０】
変形例１３は、ベーンポストの各々が、アクチュエータリングの少なくとも一つのスプラインと機械的に結合する溝を含む変形例１２に記載された方法を含むことができる。
【００３１】
変形例１４は、アクチュエータリングが、複数の溝を含む変形例１１〜１３のいずれか一つに記載された方法を含むことができる。
【００３２】
変形例１５は、ベーンポストの各々が、アクチュエータリングの少なくとも一つの溝と機械的に結合するスプラインを含む変形例１４に記載された方法を含むことができる。
【００３３】
変形例１６は、スプラインのうちの少なくとも一つが、ドックボーン形状を有する変形例１２〜１５のいずれか一つに記載された方法を含むことができる。
【００３４】
変形例１７は、下部リングまたは上部リングのうちの少なくとも一つが、ベーンポストを介してベーンに機械的に結合するボアを含む変形例１１〜１６のいずれか一つに記載された方法を含むことができる。
【００３５】
変形例１８は、ベーンポストが、アクチュエータリングの少なくとも一つのスプラインと機械的に結合するボアを含む変形例１２〜１７のいずれか一つに記載された方法を含むことができる。
【００３６】
変形例１９は、製品が、ターボチャージャーを含む変形例１１〜１８のいずれか一つに記載された方法を含むことができる。
【００３７】
変形例２０は、タービンが可変タービン幾何構造を有する変形例１１〜１９のいずれか一つに記載された方法を含むことができる。
【００３８】
本発明の範囲内の選択的な変形例に対する前記説明は、本質的に例示するものに過ぎず、従って、その変形または変形例は、本発明の思想及び範囲から逸脱するものとして見なされてはならない。
【図１】
2018031372.tif 000003
【図２Ａ】
2018031372.tif 000004
【図２Ｂ】
2018031372.tif 000005
【図２Ｃ】
2018031372.tif 000006
【図２Ｄ】
2018031372.tif 000007
【図３Ａ】
2018031372.tif 000008
【図３Ｂ】
2018031372.tif 000009
【図３Ｃ】
2018031372.tif 000010
【図４Ａ】
2018031372.tif 000011
【図４Ｂ】
2018031372.tif 000012
【図４Ｃ】
2018031372.tif 000013
【図４Ｄ】
2018031372.tif 000014
【図４Ｅ】
2018031372.tif 000015
【図４Ｆ】
2018031372.tif 000016